(57)【要約】      （修正有）【課題】靴内に付設される導体検知器が人体との完全な電気的循環を構成させ、携帯装置に搭載されるブルートゥースを通して遠隔操作を行い、低周波超電療法マッサージ機能或いは生理情報の検知及び収集機能の選択を達成させる装着型電子機器を提供する。【解決手段】靴１に内設され、携帯装置及びアプリケーションソフトウェアを組み合わせてインタラクティブに健康マッサージを行う装着型電子機器２であり、インソール２１を備え、表面には陽極導電インターフェイス、陰極導電インターフェイス、及び電子装置２４が区画される。内部にはマザーボード、ブルートゥース制御チップセットモジュール、及びバッテリーを有すると共にインソールに電気的に連結される。使用者が靴を履くと、人体とインソール表面の陽極及び陰極導電インターフェイスとの電気的な循環を構成し、携帯装置の操作により、低周波超電療法マッサージを行える。【選択図】図１
0003197953.tif 000002
【実用新案登録請求の範囲】
【請求項１】
導体検知器であるブルートゥース（登録商標）のマッサージ機能を具備する装着型電子機器であって、
表面が陽極導電インターフェイス及び陰極導電インターフェイスに区画され、且つ何れかの一端から陽極接続点及び陰極接続点がそれぞれ延伸されるインソールと、
前記陽極接続点及び陰極接続点に電気的に接続され、且つマザーボード及びブルートゥース制御チップモジュール（Bluetooth Chipset Module）を有し、低周波超電療法マッサージ及び人体の生理情報検知機能を提供する電子構造とを備えることを特徴とするブルートゥースのマッサージ機能を具備する装着型電子機器。
【請求項２】
装着型電子機器はプリケーションソフトウェア、ブルートゥース（登録商標）ユニット、及び表示ユニットを内臓する携帯装置を搭載し使用される装置を更に含み、前記携帯装置は前記ブルートゥース（登録商標）ユニット及び前記インソールのブルートゥース（登録商標）制御チップモジュールによりペアリングを行い、前記アプリケーションソフトウェアを操作することで前記インソールに対して超電療法マッサージモード或いは生理情報の検知モードを実行するように命令を出すことを特徴とする、請求項１記載のブルートゥースのマッサージ機能を具備する装着型電子機器。
【請求項３】
電子装置に使用されるバッテリーはボタン型電池或いは他の小型薄型の電力源であることを特徴とする、請求項１記載のブルートゥースのマッサージ機能を具備する装着型電子機器。
【請求項４】
靴は室内用のスリッパ、上履き、室外用の革靴、スポーツシューズ、カジュアルシューズ、登山靴等を含むことを特徴とする、請求項１記載のブルートゥースのマッサージ機能を具備する装着型電子機器。
【請求項５】
携帯装置はスマートフォン或いはタブレット端末であることを特徴とする、請求項２記載のブルートゥースのマッサージ機能を具備する装着型電子機器。
【請求項６】
携帯装置はアプリケーションソフトウェア、ブルートゥース（登録商標）ユニット、及び表示ユニットを少なくとも内臓することを特徴とする、請求項２記載のブルートゥースのマッサージ機能を具備する装着型電子機器。
【請求項７】
マッサージモードでは、表示装置の表示面には、片脚（左脚及び右脚）、両脚の選択図区、マッサージ機能の選択図区、強度調整の選択図区、時間設定の選択図区、オン／オフの選択図区を少なくとも具備することを特徴とする、請求項６記載のブルートゥースのマッサージ機能を具備する装着型電子機器。
【請求項８】
生理情報の検知モードでは、前記表示ユニットの表示面には、各種の生理信号の選択図区（例えば心拍数、呼吸、血圧、体温、体脂肪率等）を少なくとも備え、何れか１つの生理信号図式の選択操作が行われた後、収集された前記生理情報は各種の統計図形方式（例えば棒グラフ、円グラフ、線グラフ等）によりグラフ区に表示されるか、或いはデータ方式によりデータ区に表示されることを特徴とする、請求項６記載のブルートゥースのマッサージ機能を具備する装着型電子機器。
【請求項９】
上述の装着型電子機器の電子装置内には全地球測位システムの位置決めチップが更に設置されることを特徴とする、請求項１記載のブルートゥースのマッサージ機能を具備する装着型電子機器。
【請求項１０】
装着型電子機器は導電性ソックスを更に含むことを特徴とする、請求項１記載のブルートゥースのマッサージ機能を具備する装着型電子機器。
【考案の詳細な説明】
【技術分野】
【０００１】
本考案は、靴内に付設される導体検知器が人体と接触すると、人体との完全な電気的循環を構成させ、携帯装置に搭載されるブルートゥース（Bluetooth）（登録商標）を通して遠隔操作を行い、低周波超電療法マッサージ機能或いは生理情報の検知及び収集機能の選択を達成させる装着型電子器具者に関する。
【背景技術】
【０００２】
現代人の生活は多忙を極め、多くの学生や新社会人等は運動する時間が持てず、いわゆる現代病が増え続けている。特に、社会人は長時間椅子に座り続けたり立ち続けることが多いため、腿に異常をきたす確率が高まる。さらには、食事時間が乱れ、栄養も偏るなどして肥満や糖尿病等の疾病の発症年齢も年々低年齢化している。
【０００３】
また、近年少子化が進み、介護が必要な高齢者が若者よりも多くなり、高齢者は高齢のために内臓の機能が低下し、長期間血液の循環不良が続くことでその部分の神経も変調をきたし、筋肉が萎縮し、歩行が困難になる。また、一部の高齢者は糖尿病のため寝たきりになると、定期的に体の向きを変えたり背中をマッサージせねば、血液の循環不良がより深刻になる。独居の高齢者に至っては、子供が他県で仕事をしているために介護を行えないことが多く、社會問題化している。医療費が増加するため、介護が必要な高齢者のいる家庭では医療負担が極めて大きく、このような状況は何時誰にでも起こりうり、極めて深刻な事態に繋がることもある。
【考案の概要】
【考案が解決しようとする課題】
【０００４】
しかしながら、現在上述の状況に鑑みて多くの医療器具やリハビリ器具が創出されているが、但しそのほとんどが大型で精密な設計になっており、且つ特定の医療施設にしか設置されておらず、使用範囲が狭い上に費用も高く、一般化されてはいない。なお、市場でよく見受けられるマッサージ器具やリハビリ器具は、上述の血液循環の不良や新陳代謝の低下といった問題を解決させ、大腿筋を強化する効果を有するが、但し前記の器具は往々にして固定式装置であるため、通常は医療施設か室内の家庭用電源に接続可能な位置に設置され、治療が必要な患者にとっては、室内に設置できない場合は不便であった。さらに、治療時には前記器具か装置上に着座しなければならないため、自由に行動できなくなり、他の事ができず、自由度が低いといえる。
【０００５】
このほか、科学技術の発展に伴い、現在業界ではスマートウォッチやスマートブレスレット等のウェアラブル端末の開発が進められており、これらは心拍数、呼吸、皮膚表面の温度、運動速度等の検知といった人体の生理情報検知を主な機能とし、装着すると同時に装着者の生理状態を随時モニターする。但し、これらの製品は人体相に接触する型式であり、使用者の皮膚上の油脂や汗等により接触が不完全になると、生理情報検知の正確性に影響した。もし、シール等の完全接触型式を採用する場合、長時間貼られ続けると皮膚がかぶれて腫れることもあり、装着者にとっては不便である。最も困難な点は、これらの電子製品が全面的な洗浄が難しく、一部分のみ簡単な清掃が可能なだけで、耐用性が低く、故障しやすい点である。
【０００６】
さらには、現在各医療機関が遠隔介護システムを提唱している。医療機関内に設置される医療介護プラットフォームと介護が必要な高齢者や重症患者に装着される多種の検知器が付設された検知装置とがインターネットで繋がれ、要介護者の生理情報を随時取得し、より早く的確に医療情報サービスを効率的に提供している。しかしながら、このシステムに使用される検知装置は、同様に装着上の困難があり、専門の医療スタッフが装着を補助せねば適切に装着できず、生理情報の検知及び収集が不正確になった。
【０００７】
故に、日常生活に溶け込み、簡単に操作可能なユーザーフレンドリーなインターフェースを採用し、且つ専門スタッフの補助が不要で、低周波放電マッサージ及び遠隔医療介護を兼ね備え、同時に健康を管理し、外出時の危険性を低下させ、自由度が高い、外出中でも家庭内でも気軽に使用でき、洗浄可能で何度も使え、耐用年数も長い等が本考案の基本精神となる。
【０００８】
本考案者は上記の欠点が改善可能と考え、鋭意検討を重ねた結果、合理的設計で上記の課題を効果的に改善する本考案の提案に到った。
【０００９】
本考案は、以上の実情に鑑みなされたものであって、上記課題解決のため、本考案は、ブルートゥース（登録商標）のマッサージ機能を具備する装着型電子器具を提供することを主目的とする。換言すれば、靴を履くという生活習慣を変えずに、より馴染みやすい設計で靴の中に設置される装着型電子器具である。前記装着型電子器具は導体検知器が人体に接触すると人体との完全な電気的循環が形成され、さらに携帯装置に搭載されるブルートゥース（登録商標）により遠隔操作が可能で、前記靴を履いた使用者に対して低周波放電マッサージ或いは前記使用者の生理情報の検知及び収集を行い、いつでもどこでもマッサージを行える健康効果を達成させる。同時に生理情報を随時検知し、使用者を追跡して緊急時の通報も行え、外出時の安全性を確保させる。
【００１０】
本考案の他の目的は、靴を履く習慣のある者の大部分は靴下を履く習慣もあるため、導電性ソックスを前記装着型電子器具に組み合わせて使用するように設計され、人体と導体検知器との間の電気的循環が非導性の普通の靴下では断絶される状況を回避し、低周波放電マッサージ機能、或いは前記使用者の生理情報の検知及び収集機能を障害なく実行するブルートゥース（登録商標）のマッサージ機能を具備する装着型電子器具を提供する。
【００１１】
本考案のさらなる他の目的は、現在最も便利な外出時に携帯する携帯装置を操作装置とし、アプリケーションソフトウェア(Application Software)を利用して機能の選択及び１つ以上の使用者モードの設定を行い、複数名の要介護の高齢者或いは患者を同時にモニターでき、全面的で正確に、速くて効率的な即時の医療救護を可能にするブルートゥース（登録商標）のマッサージ機能を具備する装着型電子器具を提供する。
【００１２】
また、本考案のさらなる他の目的は、全地球測位システム（Global Positioning System、略称GPS）の位置決めチップを装着型電子器具に結合させて、携帯装置により使用者の位置を随時把握し、身の安全を確保できるブルートゥース（登録商標）のマッサージ機能を具備する装着型電子器具を提供する。
【００１３】
なお、本考案のさらなる他の目的は、前記装着型電子器具は耐摩耗性及び強度が高く、且つ何度でも洗浄して再利用可能な、耐用年数も長いブルートゥース（登録商標）のマッサージ機能を具備する装着型電子器具を提供する。
【課題を解決するための手段】
【００１４】
上述した課題を解決し、上記目的を達成するための本考案は、靴内に導体検知器が装設される電子構造を利用し、カスタマイズされたアプリケーションソフトウェアが付属される携帯装置と組み合わせてインタラクティブに健康マッサージ及び遠隔介護マッサージを行える靴である。本考案に係るブルートゥース（登録商標）のマッサージ機能を具備する装着型電子器具は導体検知器であり、
表面が陽極導電インターフェイス及び陰極導電インターフェイスに区画され、且つ何れかの一端から陽極接続点及び陰極接続点がそれぞれ延伸されるインソールと、前記陽極接続点及び陰極接続点に電気的に接続され、且つマザーボード及びブルートゥース（登録商標）制御チップモジュール（Bluetooth Chipset Module）を有し、低周波超電療法マッサージ及び人体の生理情報検知機能を提供する電子構造とを備えることを特徴とする。
【００１５】
本考案に係るブルートゥース（登録商標）のマッサージ機能を具備する装着型電子器具は、アプリケーションソフトウェア、ブルートゥース（登録商標）ユニット、及び表示ユニットを内臓する携帯装置を搭載し使用される装置を更に含み、前記携帯装置は前記ブルートゥース（登録商標）ユニット及び前記インソールのブルートゥース（登録商標）制御チップモジュールによりペアリングを行い、前記アプリケーションソフトウェアを操作することで前記インソールに対して超電療法マッサージモード或いは生理情報の検知モードを実行するように命令を出す。
【００１６】
上述の携帯装置の表示ユニットの表示面には、各種の生理信号の選択図区（例えば心拍数、呼吸、血圧、体温、体脂肪率等）を少なくとも備え、何れか１つの生理信号図式の選択操作が行われた後、収集された前記生理情報は各種の統計図形方式（例えば棒グラフ、円グラフ、線グラフ等）によりグラフ区に表示されるか、或いはデータ方式によりデータ区に表示される。
【００１７】
上述の靴は室内用のスリッパ、上履き、室外用の革靴、スポーツシューズ、カジュアルシューズ、登山靴等を含む。
【００１８】
上述のバッテリーはボタン型電池或いは他の小型薄型の電力源である。
【００１９】
上述の装着型電子器具の電子装置内には全地球測位システムの位置決めチップが更に設置される。
【考案の効果】
【００２０】
使用者が前記インソールを履くと、人体とインソール表面の陽極導電インターフェイス及び陰極導電インターフェイスとが完全な電気的循環を構成させ、前記携帯装置のアプリケーションソフトウェアにより前記インソールに対して命令の選択を伝達する。選択可能な命令は、（一）超電療法マッサージモードで、前記導電面に規則的なリズムの低週波超電療法マッサージを提供する、及び（二）生理情報の検知モードで、前記導電面が生理反応信号を即時取得し、ブルートゥース（登録商標）によりスマートフォンに伝送させて使用者に提供して即時判断を促すか、或いはデータベースに伝送させて専門家のアドバイスを受ける機能を含む。
【図面の簡単な説明】
【００２１】
【図１】本考案の一実施形態に係る装着型電子器具を説明する概略図（一）である。
【図２】本考案の一実施形態に係る装着型電子器具を説明する概略図（二）である。
【図３】本考案の一実施形態に係る装着型電子器具を示す構造の概略図である。
【図４】本考案に係る装着型電子器具の電子装置及び携帯装置がペアリングとなる概略図である。
【図５】本考案に係る装着型電子器具の携帯装置の操作画面の概略図である。
【図６】本考案に係る装着型電子器具の携帯装置のグラフ区及びデータ区の概略図である。
【図７】本考案に係る装着型電子器具及び携帯装置が複数個のブルートゥース（登録商標）を行うペアリングの概略図である。
【図８】本考案に係る装着型電子器具及び携帯装置が位置決めを行う概略図である。
【図９】本考案の他の実施形態に係る装着型電子器具を説明する概略図である。
【考案を実施するための形態】
【００２２】
以下に図面を参照して、本考案を実施するための形態について、詳細に説明する。なお、本考案は、以下に説明する実施形態に限定されるものではない。
【００２３】
（第１実施形態）
以下、本考案の実施形態について、図面を参照しながら説明する。図１及び図２はブルートゥース（登録商標）のマッサージ機能を具備する装着型電子器具を示す。前記装着型電子器具（２）は靴（１）に内設され、前記靴（１）は、革靴、スリッパ、スポーツシューズ、カジュアルシューズ、登山靴等の様々な靴を指し、使用者が毎日履くのに最も適し、最も親しみやすい使用方式を提供する。前記装着型電子器具（２）は主に導体検知器であり、靴（１）に内設されるインソール（２１）、及び靴（１）の靴底に埋設され、或いは靴内のかかとに対応する位置に設置される（履くのに支障が無ければよい）電気的に連結される電子構造（２４）を備える。また、前記電子構造（２４）は内部の損壊を防止する外ケースを有する。
【００２４】
図３に示すように、前記インソール（２１）の表面区にはそれぞれ陰陽両極を表す陽極導電インターフェイス（２２）及び陰極導電インターフェイス（２３）が区画され、その面積の分配方式には如何なる制限もない。例えば、最も簡単な方式としては中間線で分割し、一方を陽極導電インターフェイス（２２）とし、他方を陰極導電インターフェイス（２３）とし、使用者の足で踏まれると同時に陽極導電インターフェイス（２２）及び陰極導電インターフェイス（２３）に接触し、前記陽極導電インターフェイス（２２）及び陰極導電インターフェイス（２３）の何れかの一端からは陽極接続点（２２１）及び陰極接続点（２３１）がそれぞれ延伸される形態になる。
【００２５】
また、前記電子構造（２４）は前記陽極接続点（２２１）及び陰極接続点（２３１）に電気的に接続され、且つ内部には中央制御ユニットとなるマザーボード（２４１）、信号の伝送及び受信を行うブルートゥース（登録商標）制御チップセットモジュール（Bluetooth Chipset Module）（２４２）、及び電力源となるバッテリー（２４３）を少なくとも備える。これにより、前記インソール（２１）と人体の足とが電気的に導通されることで、低周波超電療法マッサージ及び人体の生理情報検知の機能を提供する。
【００２６】
前記インソール（２１）は金属メッシュにより表面が被覆されて陽極導電インターフェイス（２２）及び陰極導電インターフェイス（２３）が形成され、且つ前記陽極導電インターフェイス（２２）及び前記陰極導電インターフェイス（２３）は互いに電気的に連結されない。前記金属メッシュは超極細の金属糸（metal yarn）で編まれ、その成分は金属糸がダイヤモンド研摩により極細に研摩（原則として金属糸は極細で切れないことが要求される）された後、天然繊維（天然及び人工繊維を含む）が組み合わされて構成される天然繊維が外部を巻回して被覆する超極細金属糸形態であり、糸径は約０．０２８〜０．０４０ ｍｍである。この超極細金属糸（metal yarn）の強度は一般的な綿糸よりはるかに高く、成型された製品の耐摩耗性も向上し、耐用年数も伸び、同時に天然繊維の作用により柔軟で快適になる。このような構成による金属メッシュは好ましい電導効率及び柔軟性を有する。
【００２７】
前記電子構造（２４）内のマザーボード（２４１）には、低周波放電及び人体の生理情報の収集を制御させるための制御ＩＣが設置され、これにより低周波超電療法マッサージ効果を提供し、収集された人体の生理情報はブルートゥース制御チップセットモジュール（Bluetooth Chipset Module）（２４２）を経由して携帯装置（３）或いはクラウドのデータベースに伝送され、遠隔監視操作による遠隔医療及び緊急通報の介護効果を達成させる。
【００２８】
なお、前記電子構造（２４）内のバッテリー（２４３）は、ボタン型電池を主に採用するが、但しこれに制限されず、体積の小さな薄型の独立電力源であれば代替可能である。
【００２９】
図４は本考案の電子装置が携帯装置を搭載する概略図である。前記携帯装置（３）はスマートフォン或いはタブレット端末であり、アプリケーションソフトウェア（３１）、ブルートゥース（登録商標）ユニット（３２）、及び表示ユニット（３３）を少なくとも内臓する。前記携帯装置（３）は前記ブルートゥース（登録商標）ユニット（３２）を用いて前記装着型電子器具（２）の電子構造（２４）内のブルートゥース（登録商標）制御チップセットモジュール（２４２）とのペアリングを行い、接続後に前記アプリケーションソフトウェア（３１）を用いて操作され、前記装着型電子器具（２）に低周波放電の超電療法マッサージ機能、或いは前記インソール（２１）の電気的導通作用を利用した生理信号の検知及び収集を実行させ、収集された生理情報は図形化やデータ化等の方式で前記携帯装置（３）の表示ユニット（３３）に表示される。
【００３０】
また、前記表示ユニット（３３）でマッサージ機能の操作を行う場合（図５参照）、前記アプリケーションソフトウェア（３１）を操作して使用者及び機能の設定を行い、前記表示面には、使用者が１人の場合は、片脚（左脚及び右脚）、両脚の選択図区（Ａ）、マッサージ機能の選択図区（Ｂ）、強度調整の選択図区（Ｃ）、時間設定の選択図区（Ｄ）、及びオン／オフの選択図区（Ｅ）を少なくとも含み 、さらには音楽プレーヤーを搭載し使用者に音楽鑑賞を行わせてもよく、音楽に合わせてマッサージを行うことでより心地よいマッサージ効果を達成させる。使用者が多人数の場合、使用者の設定選択図を増加させて、他の機能も同様にする。
【００３１】
使用者がアプリケーションソフトウェア（３１）を操作して使用者の生理情報を収集する場合（図６参照）、前記表示ユニット（３３）の表示面には、各種の生理信号の選択図区（ａ）（例えば心拍数、呼吸、血圧、体温、体脂肪率等）を少なくとも含み、何れかの生理信号図が選択された後、収集された前記の生理情報は各種の統計図形方式（例えば棒グラフ、円グラフ、線グラフ等）でグラフ区（ｂ）に表示されるか、或いはデータ方式でデータ区（ｃ）に表示される。
【００３２】
このように、使用者の脚が装着型電子器具（２）のインソール（２１）の表面の陽極導電インターフェイス（２２）及び陰極導電インターフェイス（２３）に接触すると、人体との電気的循環を構成させる。この際、前記携帯装置（３）のアプリケーションソフトウェア（３１）により前記インソール（２１）に対して命令が出され、前記命令は、低周波超電療法マッサージモードで前記陽極導電インターフェイス（２２）及び陰極導電インターフェイス（２３）が規則的に低週波超電療法マッサージを施すこと、及び生理情報の検知モードで、前記陽極導電インターフェイス（２２）及び陰極導電インターフェイス（２３）と脚の皮膚とが直接接触されると随時生理情報を取得すると共にブルートゥース（登録商標）伝送方式により携帯装置に伝送させて表示させ、使用者に提供して即時分析及び判断を行わせるか、或いはクラウドのデータベースに伝送させ、医療の専門家に提供して分析やアドバイスを行い、遠隔介護の効果を達成させることを含む。
【００３３】
本考案に係る装着型電子器具は、一対一でペアリングされて使用される以外、前記携帯装置（３）は同時に前記装着型電子器具（２）が搭載される複数の靴（１）と一体複数でのペアリングを行って使用可能であり、且つ前記アプリケーションソフトウェア（３１）により接続されている複数の使用者の間で切り換えを行える（図７参照）。使用者の切り換え画面では、検知され収集された生理情報がグラフ区（ｂ）及び前記生理情報のデータ区（ｃ）にそれぞれ表示され、前記情報の記録を直接観察し、同時に使用者の生理状態の簡単な判断を下すか、ブルートゥース（登録商標）によりクラウドのデータベースに伝送され、医療の専門家により前記情報の分析が行われ、判断が下されて処理が実行される。
【００３４】
前記電子構造（２４）内には全地球測位システムの位置決めチップ（２４４）が更に設置され、ブルートゥース（登録商標）制御チップセットモジュール（２４２）の信号伝送により、スマートフォン（３）及びアプリケーションソフトウェア（３１）と共に使用されて前記装着型電子器具（２）を有する靴（１）を履いた使用者の位置決めを行い、随時使用者の動向を追跡し健康面及び安全面のリスクを回避させる（図８参照）。
【００３５】
本考案の使用では、主に使用者が靴（１）を履くと、脚が前記装着型電子器具（２）のインソール（２１）に直接接触して電気的導通を形成させ、低周波超電療法マッサージ及び人体の生理情報検知の機能を達成させる。但し、多くの使用者が靴（１）を履く際に、通常先に靴下を履くため、電気的導通を妨げる恐れがある。故に、本考案に係る装着型電子器具（２）はインソール（２１）を有する以外に、導電性ソックス（２５）を更に備えて前記インソール（２１）と共に使用される。図９に示すように、前記導電性ソックス（２５）は超極細の中空繊維（coolmax）を採用し、超極細の金属糸（metal yarn）にキチン糸（crab yarn）を組み合わせ、吸湿、排水、１００％の抗菌機能、殺菌、及び消臭効果を有し、弾性の高いライクラ（lycra）を採用して弾性及び高圧張力を強化することで使用時に緩む可能性を排除するように編まれ、使用者が履いた際に完全に脚を被覆させる。また、高圧張力で被覆するため、血流を促進させて脚の痛みや痺れを和らげる。さらには、前記超極細金属糸（metal yarn）は電気的導通及び静電気除去作用を有する。このため、使用者が靴（１）を履くと、脚は導電性ソックス（２５）によりインソール（２１）の表面の陽極導電インターフェイス（２２）及び陰極導電インターフェイス（２３）との導電による電気的循環を達成させ、導電を阻害するのもが無い状態で低周波超電療法マッサージ及び人体の生理情報検知の機能を達成させる。
【００３６】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、後述の請求項に含まれるものとする。
【符号の説明】
【００３７】
１      靴
２      装着型電子機器
２１    インソール
２２    陽極導電インターフェイス
２２１  陽極接続点
２３    陰極導電インターフェイス
２３１  陰極接続点
２４    電子装置
２４１  マザーボード
２４２  ブルートゥース（登録商標）制御チップセットモジュール
２４３  バッテリー
２４４  位置決めチップ
３      携帯装置
３１    アプリケーションソフトウェア
３２    ブルートゥース（登録商標）ユニット
３３    表示ユニット
Ａ      片脚（左脚及び右脚）、両脚の選択図区
Ｂ      マッサージ機能の選択図区
Ｃ      強度調整の選択図区
Ｄ      時間設定の選択図区
Ｅ      オン／オフの選択図区
ａ      各種の生理信号の選択図区
ｂ      グラフ区
ｃ      データ区
【図１】
0003197953.tif 000003
【図２】
0003197953.tif 000004
【図３】
0003197953.tif 000005
【図４】
0003197953.tif 000006
【図５】
0003197953.tif 000007
【図６】
0003197953.tif 000008
【図７】
0003197953.tif 000009
【図８】
0003197953.tif 000010
【図９】
0003197953.tif 000011